(57)【要約】【課題】一台の装置で反射及び透過検査を順次行うことができ、しかも検査姿勢の変更及び光源切換えを自動的に行うと共に、さらに反射検査の下敷き部に黒色スクリーンを自動的に張り出して、検査環境を最適にできるフィルム目視検査装置を提供する。【解決手段】検査種別に応じて姿勢変更可能の検査台たるボックスを有し、前記ボックスの一側部に設けられ、前記ボックスの前記半透明板に沿って張り出し又は退却可能の黒色スクリーンと、この黒色スクリーンを前記半透明板に沿って自動的に張り出し又は退却させるスクリーン駆動装置と、を設けたことを特徴とするフィルム目視検査装置。【選択図】      図1
2007198953.tif 000002
【特許請求の範囲】
【請求項１】
透過検査用光源を内蔵すると共に、その上表面に半透明板を張った略矩形のボックスと、該ボックスを一定高さの水平一軸上で軸支すると共に該ボックスの後端部を昇降駆動可能に支持するボックス支持軸と、
前記ボックスの後端部を上下に昇降駆動することにより前記ボックスを水平姿勢から後端上りの傾斜姿勢に、又はその逆に駆動するボックス昇降駆動装置と、
前記ボックスの前方ないし上方に設けられた反射検査用光源と、
前記ボックスの一側部に設けられ、前記ボックスの前記半透明板に沿って張り出し又は退却可能の黒色スクリーンと、
前記ボックス昇降駆動装置の作動に応じて、前記黒色スクリーンを前記半透明板に沿って張り出し又は退却させるスクリーン駆動装置と、を設けたことを特徴とするフィルム目視検査装置。
【発明の詳細な説明】
【技術分野】
【０００１】
本発明は、透過光による検査と反射光による検査を１台の装置で行うことができ、順次の検査を効率的に行うことができ、かつ両目視検査の検査環境を適切にすることにより両目視検査を確実に行えるようにし、全体の効率を格別向上したものである。
【背景技術】
【０００２】
被検査フィルムを検査台上に載せて行う目視検査方法としては、透過光による検査と反射光による検査の２通りがある。不良箇所が表側か裏側か、また、不良の種類によって透過光による検査が有効な場合と、反射光による検査が有効な場合とがある。特に被処理フィルムが偏光板のように積層フィルムの場合は、透過光による検査と反射光による検査の両方の検査が必須となる。
【０００３】
特開２０００−１３７００１号公報には透過光によるフィルム検査装置が、また、特開２００１−１０８６３０号公報には反射光による光学フィルム検査方法が夫々掲載されている。このように従来は、反射光による光学フィルム検査装置と透過光によるフィルム検査装置が個別に存在している。
【０００４】
ここで、従来のフィルムの検査では、まず透過検査台により透過検査をし、次いで別の反射検査台に移り反射検査をしていた。各検査台は、夫々に所要の照明及び付属設備が付いており、検査員は、５０ｃｍ〜１ｍ四方の寸法にも及ぶフィルムを持ち回り、順次台を変えて検査していた。
【０００５】
従って、従来のフィルムの検査では、各台へのフィルムの持ち回りが問題となっていた。即ち、持ち回りの手間が大変で、さらに、持ち回りの途中で、ゴミ等が付着したり、折り曲がり事故を生じ微妙な傷を付けてしまう恐れがあり、これを見逃してしまう恐れがある。
【０００６】
そこで、検査台たる矩形のボックスを傾斜可能に構成して１台の検査装置で透過光による検査と反射光による検査を行うことができるフィルムの検査装置が考えられるが、矩形のボックスを傾斜させ、光源を切換えるだけでは、各検査項目（透過、反射）の際にボックス上面の光学性能を適切にするのが難しく、例えば反射検査のときに黒色板を介在させねばならず、その切換え操作が煩わしい。この場合を想定すると、まずボックスを水平にして、その上で反射検査をしているとする。この場合、ボックス上面は黒色に保つのが好ましい。ボックス内部には透過検査用光源が内臓されており、この上面に始めから黒色板を配置することはできないので、このために黒色板を別に介在させねばならない。そして、透過検査に移行する場合には、今度はその黒色板を取外さねばならないのである。これら操作は極めて煩わしく、作業性悪く、不良箇所を見逃してしまう原因となる。
【特許文献１】特開２０００―１３７００１号公報、第１頁、図１
【特許文献２】特開２００１―１０８６３０号公報、第１頁、図１
【発明の開示】
【発明が解決しようとする課題】
【０００７】
本発明は、ボックス上面の光学的性質を透過光による検査、又は反射光による検査に応じて適切に変化させつつ、透過光による検査と反射光による検査を、一位置で行うことができ、フィルム持ち回りが不要で検査ミスの生ずる恐れを極力する少なくすることができ、効率的、かつ確実にフィルムの検査を行うことができ、不良箇所を見逃すことがないフィルムの目視検査装置を提供することにある。
【課題を解決するための手段】
【０００８】
上記課題を解決するための本発明のフィルム目視検査装置は、透過検査用光源を内臓すると共に、その上表面に半透明板を張った略矩形のボックスと、該ボックスを一定高さの水平一軸上で軸支すると共に該ボックスの後端部を昇降駆動可能に支持するボックス支持軸と、前記ボックスの後端部を上下に昇降駆動することにより前記ボックスを水平姿勢から後端上りの傾斜姿勢に、又はその逆に駆動するボックス昇降駆動装置と、前記ボックスの上方に設けられた反射検査用光源と、前記ボックスの一側部に設けられ、前記ボックスの前記半透明板に沿って張り出し又は退却可能のスクリーンロールと、前記ボックス昇降駆動装置の作動に応じて前記スクリーンロールを正逆方向に回転駆動することにより、前記黒色スクリーンを前記半透明板に沿って張り出し又は退却させるスクリーン駆動装置と、を設けたことを特徴とする。
【０００９】
ボックス内部には透過検査用の光源が内蔵され、その上表面には半透明板が張ってあるので、その上で透過検査を行うことができる。
【００１０】
ボックスを水平姿勢から後方上りの傾斜姿勢、又はその逆の姿勢に変更できる昇降駆動装置を設けるので、例えば手押しボタン等で上昇又は下降指令を与えることにより、ボックスの姿勢を変更でき、水平姿勢又は傾斜姿勢で反射又は透過の検査を行うことができる。
【００１１】
前記ボックスの前記半透明板に沿っては、黒色スクリーンを張り出し又は退却可能のスクリーンと、これを駆動するスクリーン駆動装置を設け、前記ボックスの昇降駆動装置の作動に応じて前記スクリーンを張り出し又は退却させるので、反射検査を黒色スクリーンの上面で行うことができる。
【００１２】
黒色スクリーンは、黒色で汚れや傷が無いことと、つや消し加工していることのみが条件で、反射検査のときにボックスの半透明板に沿って張り出される。
【００１３】
従って検査員は、ボックスの姿勢を変更する指令スイッチを操作するだけで、姿勢の変更と、黒色スクリーンの張り出しを自動的に受けることができる。黒色スクリーンが前記半透明板の上面に張り出される場合には、被検査フィルムを両手で持ち上げておけば良い。
【００１４】
以上により、検査員は、透過検査のときは半透明板の上に被検査フィルムを置いて透過検査を行えばよく、反射検査のときは、反射検査のための指令スイッチを操作し、被検査フィルムを両手で持ち上げておいてボックスの姿勢変更と黒色スクリーンの張り出しを受け、黒色スクリーンの上で反射検査を行えばよい。姿勢変更指令は手動でなくともフットペダル等としても良い。
【００１５】
各光源は、前記ボックスの姿勢変更に応じて自動的に切換えることができる。検査員はボックスの姿勢変更指令を行って被検査フィルムを持ち上げ、自動的に準備された検査面上に被検査フィルムを置いて検査を行うことの繰り返しで良い。混乱を生じることもない。１枚の被検査フィルムを検査終了して次の被検査フィルムの検査をする場合、既に終了した検査を基準にして、次のフィルムの検査をすることができる。
【００１６】
スクリーンの張り出し方としては、ロール状に巻いた黒色スクリーンを巻き出す形（ロール形）の他、蛇腹状に折り重ねた黒色板を引き出す形（蛇腹形）等の例がある。
【発明の効果】
【００１７】
本発明のフィルム目視検査装置によれば、特許請求の範囲に記載の構成を有するので、上昇又は下降の指令をすることにより、ボックスの後方を上昇から下降へ、又は下降から上昇へ駆動して適切姿勢で透過検査及び反射検査をすることができる。
【００１８】
また、透過検査から反射検査のときには、ボックス上表面に設けた半透明板に沿って黒色スクリーンが自動的に張り出されるので、その上に被検査用フィルムを置くことにより、反射検査を適切に行うことができる。
【００１９】
さらに、反射検査から透過検査にかけては、ボックス姿勢変更に伴って前記黒色スクリーンを自動的に退去させることができるので、操作容易にして透過検査を適切に行うことができる。
【発明を実施するための最良の形態】
【００２０】
以下、添付図面を参照して本発明を実施するための最適の形態を説明する。図１〜図７はロール形の例を、図８〜図１０は蛇腹形の例で示す。図１は、本発明の一実施形態に係るフィルム目視検査装置の側面図、図２は図１の左側面図に相当する背面図である。
【００２１】
本発明の一実施形態に係るフィルム目視検査装置１は、キャスター２付のフレーム組３を備えている。フレーム組３は、検査員４の目前に配置される机部３ａと、その上に股げられ、かつ天井部分を形成するカーテン等支持部３ｂとを備えている。このカーテン等支持部３ｂには、作業環境を暗室状態に保つためのカーテンＣＴが吊り下げられる。机部３ａの下方には上下伸縮自在に設けられた前後一対の足部５を有し、足部５を短くした状態では前記キャスターＣＲが床面６に付き、足部５を下に伸ばした状態では、キャスター２を宙に浮かせてフレーム組３全体を持ち上げて所定の作業位置に安定支持できる。
【００２２】
前記フレーム組３の机部３ａは、アングル材を四角四面に組み合わせて構成され、その上面には作業者４の目前で左右水平方向にボックス支持軸７が設けられ、このボックス支持軸７に対してその後端（図１において左方）が上下に昇降して回転駆動できる矩形のボックス８が取付けられている。
【００２３】
前記ボックス８の後端を昇降駆動するためには、前記机部３ａの内部にモータ９で伸縮動作するシリンダ装置１０が設けられ、その作動ロッド１１の先端が前記ボックス８の下面にヒンジピン１２を介して結合されている。従って、モータ９の駆動により、前記ボックス８を図に実線で示す状態から図１の一点鎖線で示す後端上りの状態へ上昇させ、又はその逆に一点鎖線の状態から実線の状態へ下降させることができる。
【００２４】
前記ボックス８の後端下面の停止高さを規制するためには、前記机部の後方で上端部にストッパ１３（図２参照、図１には示さず）が設けられ、このストッパ１３の高さを微調整するために、ストッパ高さ調節具１４が設けられている。従って、ボックス８の上昇位置と下降位置を検出しつつ上昇指令又は下降指令を与えることにより、ボックス８の後端を所定の位置まで上昇させ、ボックス８の後端下面をストッパ１３の高さ位置で定まる位置まで下降させることができる。
【００２５】
前記ボックス８の上昇又は下降を指令するためには、前記机部３ａの側面で検査員４から見て右方には操作盤１５が設けられ、その盤面に設けた上昇指令スイッチ１６Ｕ、及び下降指令スイッチ１６Ｄの操作により、上昇又は下降の指令をすることができる。この操作方式については全くの一例であり、フットペタルスイッチ等で構成し得ること当然である。
【００２６】
前記ボックス８の内部には透過検査用の光源１７Ｐが設けられている。この光源１７Ｐはボックス８の後端が上昇されたとき点灯するようになっている。即ち、ボックス８の後端が上昇されると自動的に点灯し、例えば図６に示すように、半透明板ＳＣを介してフィルムＦＭの透過検査をすることができる。
【００２７】
前記ボックス８の側面には、前後一対のスプロケット１８が設けられ、両スプロケット１８にはチェーン１９が巻回されている。スプロケット１８は、ボックス８の後端部に固定的に設けられたモータ２０で正逆両方向に回転駆動されるようになっている。さらに、後端側のスプロケット１８の上部で前記半透明板ＳＣの上面には黒色スクリーン２１を巻回したローラ２２が設けられ、このローラ２２には巻戻し用のコイルバネ（図示せず）が組み込まれており、黒色スクリーン２１は、常時はローラ２２に巻き込まれた形となっている。また、黒色スクリーン２１の外側端部は前記チェーン１９と連結されており、スプロケット１８の回転に伴ってチェーン１９と連動し、前記半透明板ＳＣの上面で全体を覆う如く繰り出され又は巻き取られるようになっている。具体的には、前記下降の指令スイッチ１６Ｕ、１６Ｄの操作に伴って、黒色スクリーン２１を繰り出すようになっている。または、上昇の指令スイッチの操作に伴って、黒色スクリーン２１をローラ２２に巻き取り、半透明板ＳＣを露出するようになっている。要するに、上昇又は下降指令に伴って、黒色スクリーン２１を自動的に繰り出し又は巻き込むようになっている。前記スプロケット１８に代えてプーリを設け、前記チェーン１９に代えて丸ベルトを用いること等もできる。又は、これらチェーン類に代えて黒色スクリーン２１を掴んで前後移動する移動体とすることもできる。
【００２８】
黒色スクリーン２１としては、通常の織物をできるだけ完全な黒色とし、これに艶消し加工を施したものであり、織目の大きさは限定しない。また織物でなくとも柔軟なシート材でも構成できる。ただし、シート材の場合、静電気を帯び、汚れる可能性が有るので、織物の方が好ましい。
【００２９】
前記カーテン支持部３ｂの天井面には、反射検査用の光源１７Ｒが設けられている。取付位置は、検査員４から見て反射の方向性を均一にするために、ボックス８の上面、即ち半透明板ＳＣの上面で、検査員４から見てボックス８の中央よりやや後方であり、長尺の蛍光ランプによる場合は、その長手方向をボックスの前端縁又は後端縁に沿った方向に配置している。
【００３０】
図３に示すように、以上の構成のフィルム目視検査装置１において、装置１の前面に検査員４が立ち、ステップ３０１、３０２で操作盤１５上のスイッチ１６Ｕ、１６Ｄを押圧操作することにより、ステップ３０３で光源を自動的に切換えると共に、ステップ３０４でボックス８を水平姿勢（ＤＯＷＮ）から後端上りの傾斜姿勢（ＵＰ）へ、又はその逆に変更することができる。さらに、ボックス８の傾斜姿勢（ＵＰ）から水平姿勢（ＤＯＷＮ）への変更のとき、半透明板ＳＣの上に自動的に黒色スクリーン２１を繰り出すことができ、水平姿勢（ＤＯＷＮ）から傾斜姿勢（ＵＰ）への変更に応じては黒色スクリーン２１をロール２２上へ巻き取ることができる。
【００３１】
１枚づつのフィルムＦＭの検査では、いずれの検査から始めても良く、先に透過検査をして次に反射検査をしても良く、またその逆でも良い。従って、一般には、先のフィルムＦＭについて終了した検査に次いで同一種の検査から始めることができる。その分ボックス８の傾斜角度を変更しなくても良いので効率的である。
【００３２】
図４〜図７を用いて具体的な検査手順を説明する。図４に示すように、ボックス８を水平姿勢（ＤＯＷＮ）とすることにより、例えば反射検査をすることができる。このとき、透過検査用の光源１７Ｐは消灯され、黒色スクリーン２１が半透明板の上に繰り出され、反射検査用の光源１７Ｒは点灯している。従って、図４の右方に位置する検査員４（図１参照）は、フィルムＦＭをボックス８上の黒色スクリーン２１上に置き、反射検査をすることができる。黒色スクリーン２１上で検査できるので、反射検査を効率よく確実に行うことができる。傷や汚れ、或いは気泡等微小な欠点を見出した場合、その点に赤ペンで印を付けるのが一般的名やり方である。これにより、反射検査により発見した欠点部分にくまなく赤ペン印を付けることができる。
【００３３】
反射検査が終了すると、左手でフィルムＦ８の左端を持った姿勢で右手を使って操作盤１５上の上昇指令スイッチ１６Ｕを押圧する。すると、図５に示すように、ボックス後端が上昇し傾斜姿勢に変更される。また、同時に黒色スクリーン２１がロール２２に巻き取られ、反射検査用の光源１７Ｒが消灯されて、透過検査用の光源１７Ｐが点灯する。検査員は上昇指令スイッチ１６Ｕの操作後に右手をフィルムＦＭの右端に当ることができるので、フィルムＦＭが黒色スクリーン２１と摩擦するようなことはない。また、そのタイミングを適切にしているので、検査員は慌てる必要なく、円滑に変更できる。
【００３４】
図６に示すように、ボックス８が傾斜姿勢（ＵＰ）に変更されると、ボックス８の上面は半透明板ＳＣが露出された形となっているので、その上にフィルムＦＭを置き、透過検査をすることができる。検査方式は反射検査同様に欠点部分を見出してそこに赤色ペンで印を付けるというようなものである。透過検査用光源１７Ｐを点灯して、半透明板ＳＣを介して透過検査するので、フィルムＦＭ裏面側の傷など欠点をくまなく検査することができる。以上により反射検査と透過検査を終了することができる。
【００３５】
図６の状態において、１枚のフィルムＦＭの検査が終了したとすると、それを除き次の被検査用フィルムＦＭを当て、そのフィルムＦＭについては透過検査から始めることができる。透過検査が終了すると、操作盤１５上の下降指令スイッチ１６Ｄを操作し、図７に示すようにボックス８の後端を下降させ、黒色スクリーン２１を繰り出し、光源１７Ｐ、１７Ｒを切替え、図４に示す水平姿勢（ＤＯＷＮ）に戻すことができる。これにより反射検査を行うことができる。
【００３６】
このようにして、検査員４は、操作盤のスイッチ１６Ｕ、１６Ｄを操作するので、ボックス８の姿勢（ＤＯＷＮ）、（ＵＰ）を切り換えると共に光源１７Ｒ、１７Ｐを切換え、さらに水平姿勢（ＤＯＷＮ）では黒色スクリーン２１を繰り出し又は巻き取りするという自動的な動作が繰り返される。
【００３７】
従って、検査員４は指令スイッチ１６Ｕ、１６Ｄの操作のみで自動切換えを得ることができ、しかも各状態（ＤＯＷＮ）（ＵＰ）での検査環境を最適に整えているので、検査に集中でき、効率的な検査を行うことができ、従来見逃していたような欠点部分を略完全に発見することができる。
【００３８】
以上示した実施形態では、黒色スクリーン２１を半透明板ＳＣの外側で繰り出し又は巻取りしたが、ボックス８の内部で行うこともできる。また、黒色スクリーン２１は、検査員４から見て後方から手前方向へ繰り出すようにしたが、右方から左方、又は左方から右方等であっても同様である。さらに、黒色スクリーン２１の移動をスプロケット１８及びそれに巻回したチェーン１９で行ったが、スクリーン２１の両端を紐で引き寄せ又は押し込むようにすること等もできる。要するに黒色スクリーン２１を半透明板ＳＣに沿って繰り出し又は巻き取るように構成されれば良い。
【００３９】
次に、図８〜図１０を用いて蛇腹形の例を示す。図８は、図１の側面図に相当する側面図で、ボックス８を中心とした要部のみを拡大して示している。図９は図８の平面図で、図８では蛇腹部分を張り出した状態を実線で示しているのに対し、蛇腹部分を折り畳んだ状態で示している。図１０は図８の左側面断面図である。図において、図１〜図８に示したものと同一機能を果す部材には、同一参照符号を付けて示してある。
【００４０】
本発明のフィルム目視検査装置２３は、図１のものに対し、黒色スクリーン２４を蛇腹形とした点が大きく異なる。黒色スクリーン２４は、２つ折りとし、夫々の裏面に補強板２５を備え、後端を回転支持ピン２６で支持すると共に、他端（前端）はボックス８の左右の側面に沿って移動する支持部２７に取付けて支持し、この支持部２７をチェーン１９の一点に固定して、その前後移動によって張り出し又は退却できるようになっている。スプロケット１８、１８間にはチェーン１９の張り具合を調節するための案内ローラ２８を設けている。
【００４１】
ボックス８の手前側の側面には、透過検査用の光源１７Ｐの発熱による熱量放出のための排気ファン２９が設けられている。また、透過用光源１７Ｐと半透明板ＳＣとの間には、光散乱用の散乱膜３０が設けられている。前記黒色スクリーン２４は、２つ折りとした中間に無給油ブッシュ３１が介在されている。
【００４２】
以上の構成において、モータ２０によりチェーン１９を駆動することにより、前端側の支持部２７を前後移動させることができ、黒色スクリーン２４を半透明板ＳＣ上に張り出し又は退却させることができる。図３で示した検査手順、並びに図４〜図７で示した行程はそのまま援用できる。
【００４３】
本実施形態では、黒色スクリーン２４を蛇腹状としたものでスクリーン部分が常時平板上にあり折れ曲り又は屈曲しないので、しわや傷が付かず常時均一な黒色を保つことができ、検査精度を向上させることができる。蛇腹形の例として２枚折りの例で示したが、４枚、６枚折りとすることも可能である。
【００４４】
本発明は上記実施形態に限定されるものではなく、適宜変形して各種態様で実施することができる。
【図面の簡単な説明】
【００４５】
【図１】本発明の一実施形態に係るフィルム目視検査装置（ロール形）の側面図である。
【図２】図１のＦ１−Ｆ２線に沿って示す背面図である。
【図３】上記フィルム目視検査装置の動作を示すフローチャートである。
【図４】上記フィルム目視検査装置の反射検査の一例を示す説明図である。
【図５】ボックスの上昇行程を示す説明図である。
【図６】上記フィルム目視検査装置の透過検査の一例を示す説明図である。
【図７】ボックスの下降行程を示す説明図である。
【図８】本発明の一実施形態に係るフィルム目視検査装置（蛇腹形）の側面図である。
【図９】図８の平面図で、蛇腹部分を折り畳んだ状態で示している。
【図１０】図８の左側面断面図である。
【符号の説明】
【００４６】
１、２３  フィルム目視検査装置
２  キャスター
３  フレーム組
３ａ  机部
３ｂ  カーテン等支持部
４  検査員
５  足部
６  床面
７  ボックス支持軸
８  ボックス
９、２０  モータ
１０  シリンダ装置
１１  作動ロッド
１２  ヒンジピン
１３  ストッパ
１４  高さ調節具
１５  操作盤
１６Ｕ  上昇指令スイッチ
１６Ｄ  下降指令スイッチ
１７Ｐ  透過検査用光源
１７Ｒ  反射検査用光源
１８  スプロケット
１９  チェーン
２１、２４  黒色スクリーン
２２  ローラ
２５  補強板
２６  回転支持ピン
２７  支持部
２８  案内ローラ
２９  排気ファン
３０  光散乱膜
ＳＣ  半透明板
ＵＰ  透過検査姿勢
ＤＯＷＮ  反射検査姿勢
ＦＭ  フィルム
ＣＴ  カーテン
ＣＲ  キャスター
【図１】
2007198953.tif 000003
【図２】
2007198953.tif 000004
【図３】
2007198953.tif 000005
【図４】
2007198953.tif 000006
【図５】
2007198953.tif 000007
【図６】
2007198953.tif 000008
【図７】
2007198953.tif 000009
【図８】
2007198953.tif 000010
【図９】
2007198953.tif 000011
【図１０】
2007198953.tif 000012